(57)【要約】      （修正有）【課題】安定的に自動復帰されるスライドレールの構造を提供する。【解決手段】主ベース体１１を含み、主ベース体の後部端に固定部１２１を、その先端に作動側板１３を設け、作動側板と主ベース体との間に摺動溝１３１を形成される復帰ベース１０と、摺動溝に設けられ、上部にエンドアーム２２を設け、エンドアームの前後に複数の係止歯２３を設ける揺動具２０と、固定部と揺動具との間に連結する弾性具３０と、押し棒４１を含む。押し棒の後部端に複数の連動係止歯４２を設けられ、連動係止歯と係止歯とを対応して歯合する押し具４０と、を備える。これらの構造により、スライドレールの自動復帰動作に順調性、安定性及び作動の質感をもたらし、自動復帰操作が故障しにくい及び耐用性の長所を有すると共に、実用性と製品競争力が向上される。【選択図】図３
0003188591.tif 000002
【実用新案登録請求の範囲】
【請求項１】
安定的に自動復帰されるスライドレールの構造であって、
主ベース体を含み、前記主ベース体の後部端に固定部を設け、前記主ベース体の先端部に作動側板を設け、前記作動側板と前記主ベース体との間に摺動溝を形成する復帰ベースと、
前記摺動溝に設けられ、上部にエンドアームを設け、前記エンドアームの前方に複数の係止歯を設ける揺動具と、
前記固定部と、前記揺動具との間に設ける弾性部材と、
押し棒を含み、前記押し棒の後部端に複数の連動係止歯を設けられ、前記連動係止歯は前記係止歯と対応して歯合する押し具と、を備えることを特徴とする、
安定的に自動復帰されるスライドレールの構造。
【請求項２】
前記主ベース体の後部端に、前記弾性部材を取り付ける弾性溝空間を設けられ、前記弾性溝空間は前記摺動溝に対応して設けることを特徴とする、請求項１記載の安定的に自動復帰されるスライドレールの構造。
【請求項３】
前記作動側板は、前記摺動溝の向き側に摺動載置部を凸設され、前記摺動載置部は前方向きに摺動載置端部を設けられていることを特徴とする、請求項１記載の安定的に自動復帰されるスライドレールの構造。
【請求項４】
前記摺動載置端部の前方が凹み溝空間に隣接されていることを特徴とする、請求項３記載の安定的に自動復帰されるスライドレールの構造。
【請求項５】
前記揺動具に３つの係止歯を設けられ、前記押し棒に３つの連動係止歯を設けられていることを特徴とする、請求項１記載の安定的に自動復帰されるスライドレールの構造。
【請求項６】
前記揺動具の一側に側面凹部を設けられ、前記側面凹部の先端部に凹み溝係止端を形成されていることを特徴とする、請求項５記載の安定的に自動復帰されるスライドレールの構造。
【請求項７】
前記揺動具の他側に側面階段部を設けられ、前記揺動具の底部は摺動載置部に摺設する底部摺動面を設けられていることを特徴とする、請求項５記載の安定的に自動復帰されるスライドレールの構造。
【請求項８】
前記押し棒の後部端の上部の側方向に側面拡大部を凸設され、前記押し棒の先端部は、押し出し前部ベースと押出板とを連接されることを特徴とする、請求項１記載の安定的に自動復帰されるスライドレールの構造。
【請求項９】
前記復帰ベースの側面に固定板を連設され、前記固定板の先端縁部は内側に屈折して、突起状の受け持ち部を設けられていることを特徴とする、請求項１記載の安定的に自動復帰されるスライドレールの構造。
【請求項１０】
前記復帰ベースを底部レールに固設していて、前記底部レールは側面の前記固定板によって、キャビネット体に固定されることを特徴とする、請求項１記載の安定的に自動復帰されるスライドレールの構造。
【請求項１１】
前記底部レールにて、中レールを摺設され、前記中レールに外レールを摺設され、前記外レールは前記キャビネット体に連結され、前記押し具は前記外レールに設けることを特徴とする、請求項１０記載の安定的に自動復帰されるスライドレールの構造。
【考案の詳細な説明】
【技術分野】
【０００１】
本考案は自動復帰の機構に関し、特にスライドレールに組み合わせて使用し、構造の簡素化を実現でき、製造組み立てに便利であり、安定的に自動作動し、故障を軽減できる、きわめて良好な操作性を有する安定的に自動復帰されるスライドレールの構造に関する。
【背景技術】
【０００２】
現在の引き出し式キャビネット体または引き出しなどは各種の収容、貯蔵器具に大量に応用されている。キャビネット体（引き出し）の引き出し操作の便利を図るため、係るキャビネット体は通常、両側のスライドレールの固定ガイドレールと合わせて使用されているほか、キャビネット体が引き出された後に押し戻すときに、簡単、省力、安定、確実な閉合効果を備え合わせると共に、スライドレールが通常、自動復帰構造と結合されており、キャビネット体を末端に戻したときは、自動復帰機構によって、キャビネット体を自動的に引き戻す機能を備えており、過大な力量による衝撃または過小な力量による閉合しきれない問題を防止し、キャビネット体の使用寿命及びより良いキャビネット操作の質感を図る。
公知のスライドレール自動復帰技術には、台湾特許第Ｍ４４００３６号（特許文献１）によれば、図１に示すように（台湾特許第Ｍ４４００３６号による図４、４Ａの符号と同じ）、主な技術として、主ベース体（１１）を含み、前記主ベース体（１１）の側縁が前方に延在して摺動端部（１５）を設け、前記摺動端部（１５）の先端部に摺動末端部を形成され、前記主ベース体（１１）の先端部は摺動末端部に対応して回動係止具（１６）を設け、前記回動係止具（１６）は前記摺動端部（１５）の対向側に実直の滑り止め壁（１６０）を設けられ、前記滑り止め壁（１６０）の先端部は弧状の回動係止壁（１６１）に接続する緩衝ベース（１０）と、前記緩衝ベース（１０）に設ける弾性部材（４０）と、前記弾性部材（４０）の先端部に連結され、前記摺動端部（１５）の対向側に押しアーム（２３）を設け、前記押しアーム（２３）の先端部に引きアーム（２３）を設け、前記押しアーム（２３）と前記引きアーム（２４）との間に操作区域（２５）を設けられ、前記引きアーム（２４）の底部の外側に第１滑りブロック（２４１）と、内側に第２滑りブロック（２４２）とを設けられ、第１滑りブロック（２４１）と前記第２滑りブロック（２４２）との間に滑り溝（２４３）を形成され、前記滑り溝（２４３）を摺動端部（１５）に滑設され、前記第２滑りブロック（２４２）の後部端にアーク部（２４４）を形成する揺動具（２０）と、前記操作区域（２５）にて作動され、キャビネットを引き出されたときに前記揺動具（２０）を牽引または制動し、あるいはキャビネットを押し戻されたときに、前記揺動具（２０）を押し込んで前記弾性部材（４０）によって引き戻す外レール（７０）上に設ける押し具（７１）と、を備える。
【先行技術文献】
【特許文献】
【０００３】
【特許文献１】台湾特許第Ｍ４４００３６号
【考案の概要】
【考案が解決しようとする課題】
【０００４】
前述のスライドレール自動復帰構造は、キャビネット体の自動復帰（復位）の目的を達成できるものの、改善される点が残っている。一例として、キャビネット体を引き出し、押し戻すときに、押し具（７１）を用いて揺動具（２０）の引きアーム（２４）と、押しアーム（２３）の押し込み動作によって実現される。すなわち、揺動具（２０）と押し具（７１）との連動は引きアーム（２４）と押しアーム（２３）のみに頼られているため、不適切な外力操作により、押し具（７１）と引きアーム（２４）と押しアーム（２３）との間で跳び動作を形成し、離脱により、キャビネットによる引き出し、自動復帰作動が不安定または失効するため、理想な設計といえない。
さらに、不適切な外力または不用意なぶつかりあるいは衝撃によって、押し具（７１）と揺動具（２０）が離脱されたときには、連結のリセット（Ｒｅｓｅｔ）操作が必要となり、すなわち、キャビネット体をいったん引き出された後、再び押し戻す操作をして、押し具（７１）を再び引きアーム（２４）と押しアーム（２３）との間に戻さなければ、押し具（７１）を再び引きアーム（２４）に連動させることはできない。しかし、このような連結のリセット（Ｒｅｓｅｔ）操作が難しく、往々にしてキャビネットの押し戻す操作を数回繰り返さなければ目的を達成できじ、極めて不便を感じる。
さらに、揺動具（２０）の回動、制動を働く構造が極めて複雑であるほか、関連金型の製造コストが高いほか、故障率も非常に大きい。よって、これを併せて改善の必要がある。従って、従来のスライドレール自動復帰構造における欠点をいかに改善するかが、業界が努力して解決・克服しなければならない重要な課題である。
【０００５】
公知技術のスライドレールの自動復帰構造の作動、組立、使用における欠点及びその構造が理想でない現状に対して、考案者が解決案の研究開発に着手し、より順調性と、安定性と、耐用性を備え合わせた安定的に自動復帰されるスライドレールの構造の開発を目指して、社会に貢献すると共に、業界の発展に寄与すべく、種々研究した結果、本考案を思料した。
【０００６】
本考案の一目的は、自動復帰の作動が極めて良い、順調性、安定性と作動の質感を有し、自動復帰操作が故障しにくく、耐用性を有する長所を備え合わせた、実用性及び製品競争力の大幅向上を図る、安定的に自動復帰されるスライドレールの構造を提供することである。
【０００７】
本考案のもう一つの目的は、全体の構成が簡素化され、製造と組立の利便性、高速性、経済性を備え合わせた経済効果を有する、安定的に自動復帰されるスライドレールの構造を提供することである。
【０００８】
本考案のまた一つの目的は、不適切な外力または不用意にぶつかった際の、衝撃による離脱現象は簡単な連結のリセット（Ｒｅｓｅｔ）操作をもって再び連結することができる。連結の離脱による故障排除が極めて容易に実施できる、安定的に自動復帰されるスライドレールの構造を提供することである。
【０００９】
本考案のさらに一つの目的は、キャビネット体の閉合操作が押し具と揺動具との連結設計によって、弾性緩衝の効果を有し、緩衝機構を設けていないキャビネット体であっても極めて良い緩衝、静音性効果を有する、安定的に自動復帰されるスライドレールの構造を提供することである。
【課題を解決するための手段】
【００１０】
本考案は前述目的を達成するために採用される主な技術手段は、主ベース体を含み、主ベース体の後部端に固定部を設け、主ベース体の先端部に作動側板を設け、作動側板と主ベース体との間に滑り溝を設ける復帰ベースと、滑り溝に設けられ、上部にエンドアームを設けられ、エンドアームの前後端に複数の係止歯を設ける揺動具と、固定部と揺動具との間に設ける弾性部材と、押し棒を含み、押し棒の後部端に複数の連動係止歯を設けられ、連動係止歯と係止歯とを対応して歯合される押し具と、を備える。
【図面の簡単な説明】
【００１１】
【図１】特許第Ｍ４４００３６号（特許文献１）の図面である。
【図２】本考案の組合せ概略図である。
【図３】本考案の分解概略図である。
【図４】本考案の組合せ側面概略図である。
【図５】本考案の引き出し操作を示す概略図（その１）である。
【図６】本考案の引き出し操作を示す図（その２）である。
【図７】本考案の引き戻しを示す概略図である。
【図８】本考案の組合せの立体概略図である。
【考案を実施するための形態】
【００１２】
本考案の技術特徴及び達成する効果のさらなる理解及び認識を図るため、好ましい実施態様図と合わせて、以下のとおり詳細説明する。
【実施例】
【００１３】
図２〜４の、本考案の安定的に自動復帰できるスライドレールの改良構造は、復帰ベース１０と、揺動具２０と、弾性部材３０と、押し具４０と、を備える。
復帰ベース１０は主ベース体１１を含み、主ベース体１１は略長板体を形成し、後部端に弾性溝空間１２を設けられ、弾性溝空間１２の後部端に固定部１２１を設けられ、主ベース体１１の先端部の一側に作動側板１３を設けられ、作動側板１３と主ベース体１１との間に摺動溝１３１を設けられ、摺動溝１３１は弾性溝空間１２に対応して設けられ、作動側板１３が摺動溝１３１の向き側に摺動載置部１３２を凸設され、摺動載置部１３２は突起リブまたは突起板などを実施され、摺動載置部１３２の前方に中断状態の摺動載置端部１３２Ａを有し、摺動載置端部１３２Ａの前方は凹み溝空間１３３に隣接され、主ベース体１１の後部端は弾性溝空間１２にて複数の凹嵌部１４と凹み溝１５とを設けられている。
【００１４】
揺動具２０の一端（後部端）には底部を有する留め具２１と、上部にエンドアーム２２とを設けられ、揺動具２０はエンドアーム２２の前方に複数の係止歯２３と、前端縁部を形成する前端部２８とを設けられ、隣り合う係止歯２３の間は、エンドアーム２２と隣り合う係止歯２３との間に係止溝２４を設けられている。
本実施例において、揺動具２０に３つの係止歯２３と３つの係止溝２４とを設けており、揺動具２０の両側にてそれぞれ側面凹部２５と側面階段部２７とを設けられ、側面凹部２５の先端部に凹み溝係止端２５１を形成され、揺動具２０はその底部にて底部摺動面２６を設けられている。揺動具２０を組み付けるときに、摺動溝１３１に組み付けて、底部摺動面２６を摺動載置端部１３２に摺設することによって、側面凹部２５と作動側板１３とを対向して隣接するように設けられている。
弾性部材３０は例えば、バネを実施しても良い。弾性部材３０の先端、後部端ともそれぞれ一つの掛け合い部３１、３２をそれぞれ設ける。組み立てた後に、係る弾性部材３０が弾性溝空間１２に位置していて、かつ弾性部材３０の掛け合い部３１、３２がそれぞれ固定部１２１と、留め具２１に接続することによって、弾性部材３０が揺動具２０に対して、牽制と引き込みの働きを有する。
【００１５】
押し具４０は押し棒４１を有し、係る押し棒４１の後部端の底部に複数の連動係止歯４２と、連動係止歯４２に隣接する複数の歯溝４３とを設けられ、押し込みの作用区域を増やせるため、押し棒４１の後部端の上端部の横方向に側面拡大部４２１を凸設され、押し棒４１の先端部にて、押し出し前部ベース４５と押出板４４とを連設されている。一好ましい実施例において、押し棒４１にて３つの連動係止歯４２と３つの歯溝４３とを設けられ、連動係止歯４２は係止歯２３とを対応して歯合、噛み合わせされるように設けられている。
【００１６】
さらに、固定板５０を有し、固定板５０は復帰ベース１０が作動側板１３の対向側に設けられ、固定板５０に複数の突起係合具５１と一つの突起嵌合具５２とを設けられる。係る突起係合具５１と、突起嵌合具５２はそれぞれ対応して主ベース体１１の凹嵌部１４と凹み溝１５に嵌合することによって、固定板５０を復帰ベース１０に固定させ、固定板５０の先端区域に透過溝５３を形成していて、かつ固定板５０の先端部は内側に屈折して、突起状の受け持ち部５４を設けられている。
【００１７】
図４と図８とを合わせて参照する。本考案の安定的に自動復帰されるスライドレールの構造を適用し組み合わせるときは、復帰ベース１０を底部レール６０に固結させ、底部レール６０はその側面の固定板６１によってキャビネット壁１００（図８）に固定していて、かつ底部レール６０にて中レール７０を摺設し、中レール７０にて外レール８０を摺設し、外レール８０をキャビネット体１０１に連結して、押し具４０を外レール８０の先端部に設け、押し棒４１の連動係止歯４２と揺動具２０の係止歯２３が互いに作動可能な状態を形成される。
【００１８】
図５と図６の、本考案の安定的に自動復帰されるスライドレールの構造の操作状態を合わせて参照する。キャビネット体１０１を手前（外）側に引くと、外レール８０も連動して引き出されて、押し棒４１の連動係止歯４２と揺動具２０の係止歯２３とを歯合し、揺動具２０を前側に引き出し一体的に移動させる。このときに、揺動具２０が底部摺動面２６を用いて、摺動載置部１３２にて摺動溝１３１に沿って前方に摺動されると共に、弾性部材３０も合わせて揺動具２０によって引き延ばされる。
そして、揺動具２０が摺動載置端部１３２Ａに摺動されると、外レール８０による前向きの引っ張る力と弾性部材３０による側面の引っ張る力によって、揺動具２０が摺動載置端部１３２Ａで凹み溝空間１３３に振り向いて、引き続き、揺動具２０が凹み溝空間１３３に振り向いて進入すると共に、押し具４０（押し棒４１）の連動係止歯４２と揺動具２０との係止歯２３が互いに引き離し、揺動具２０の振り向きと外レール８０が引き続き前方に移動することによって、押し具４０（押し棒４１）が前に進んで摺動溝１３１区域を引き離し、揺動具２０（係止歯２３）は引き続きに牽引されない。
このとき、押し棒４１が引き続き弾性部材３０による側面方向の牽引により、側面凹部２５の凹み溝係止端２５１を摺動載置端部１３２Ａに係合される。
【００１９】
図７を合わせて参照する。キャビネット体１０１（外レール８０）を後ろ側（内側）に押し戻すと、押し具４０が摺動溝１３１区域に進入して、引き続き後ろ側に移動して、エンドアーム２２を押し込んで揺動具２０を戻り振り向きさせる。
こうして、揺動具２０の底部摺動面２６が再び作動側板１３の摺動載置端部１３２に対応され、弾性部材３０の弾性牽引力によって、揺動具２０と、外レール８０とを後方に牽引され、キャビネット体の自動復帰動作が行われる。
【００２０】
本考案の安定的に自動復帰されるスライドレールの構造の技術構成によって、スライドレールの自動復帰操作に極めて良い順調性と、安定性と、作動質感とを形成し、自動復帰操作が故障しにくいという、耐用性の長所を有する。
【００２１】
さらに、本考案の安定的に自動復帰されるスライドレールの構造は、押し具と揺動具による多数歯による連結を利用し、不適切な外力によるぶつかりまたは不用意な衝撃によって離脱された状態が発生したときは、キャビネット体を容易に押し戻して連結のリセット（Ｒｅｓｅｔ）操作により再び連結させ、脱線故障排除の極めて良好な利便性を有する。さらに、本考案のこのような設計は、キャビネット体の引き出しと閉合操作が弾性を備えた緩衝効果を有しており、緩衝機構を設けなくても、良好な緩衝、静音性効果が得られる。
【００２２】
前述のとおり、本考案は実用新案特許の要件を満足しているため、法により出願する。以上に説明した本考案の実施例は、本考案の好ましい実施例に過ぎず、本考案に何らの制限を加わるものではない。よって、本考案の実用新案登録請求の範囲に掲げた形状、構造、特長および精神に基づいた変更と修飾は、なお本考案の出願範疇に含まれる。
【符号の説明】
【００２３】
１０      復帰ベース
１１      主ベース体
１２      弾性溝空間
１２１    固定部
１３      作動側板
１３１    摺動溝
１３２    摺動載置部
１３２Ａ  摺動端部
１３３    凹み溝空間
１４      凹嵌部
１５      凹み溝
２０      揺動具
２１      留め具
２２      エンドアーム
２３      係止歯
２４      係止溝
２５      側面凹部
２５１    凹み溝係止端
２６      底部摺動面
２７      側面階段部
２８      先端部
３０      弾性具
３１      掛け合い部
３２      掛け合い部
４０      押し具
４１      押し棒
４２      連動係止歯
４２１    側面拡大部
４３      歯溝
４４      押出板
４５      押し出し前部ベース
５０      固定板
５１      突起係合具
５２      突起嵌合具
５３      透過溝
５４      受け持ち部
６０      底部レール
６１      取付け板
７０      中レール
８０      外レール
１００    キャビネット壁
１０１    キャビネット体
【図１】
0003188591.tif 000003
【図２】
0003188591.tif 000004
【図３】
0003188591.tif 000005
【図４】
0003188591.tif 000006
【図５】
0003188591.tif 000007
【図６】
0003188591.tif 000008
【図７】
0003188591.tif 000009
【図８】
0003188591.tif 000010